(57)【特許請求の範囲】
【請求項１】
上端がハンガーによってスライド自在に吊り下げられた扉によって出入口を閉じ、扉が閉じられた状態において扉の４つの周辺部が気密部材によって気密が保持されるように構成した防火扉装置において、
前記ハンガーを収納する気密構造のボックスの下端に、長尺状の開口部を設け、
扉の上端が前記開口部の近傍に位置するように構成し、
前記ハンガーの上部に設けた戸車を走行可能に載せるレールを備えたフレームの下端には、扉が閉じられた状態での前記ハンガーが位置する箇所に支持部材が設けられ、
この支持部材はフレームの下端に取り付けられた第１固定板と、この第１固定板に固定された第２固定板と、第１固定板と第２固定板とにより上下動可能に挟持された可動板と、この可動板を上向きに付勢するばね力調整可能な引張りばねとを備えており、
扉の上端部近傍を気密にする気密部材は、前記可動板の下端に支持され、
前記ハンガーに設けたローラに扉が閉じられた状態において当接するカムが前記可動板に設けられ、
扉が閉じられた状態において前記ハンガーに設けられたローラが前記カムに当接することにより可動板が引張りばねのばね力に抗して下降し、可動板の下端に支持された気密部材は、扉の上端部近傍における前側もしくは後側と前記開口部の前端部もしくは後端部との間の間隙を塞ぐように構成した
ことを特徴とする防火扉装置。
【請求項２】
上端がハンガーによってスライド自在に吊り下げられた扉によって出入口を閉じ、各扉が閉じられた状態において扉の４つの周辺部が気密部材によって気密が保持されるように構成した防火扉装置において、
前記ハンガーを収納する気密構造のボックスの下端に、長尺状の開口部を設け、
扉の上端が前記開口部の近傍に位置するように構成し、
前記ハンガーの上部に設けた戸車を走行可能に載せるレールを備えたフレームの下端には、扉が閉じられた状態での前記ハンガーが位置する箇所に支持部材が設けられ、
この支持部材はフレームの下端に取り付けられた第１固定板と、この第１固定板に固定された第２固定板と、第１固定板と第２固定板とにより上下動可能に挟持された可動板と、この可動板を下向きに付勢するばね力調整可能な引張りばねとを備えており、
扉の上端部近傍を気密にする気密部材は、前記可動板の下端に支持され、
前記ハンガーに設けたガイド板に当接するローラが前記可動板に設けられて、ローラの下降がガイド板により規制されるように構成し、
扉が閉じられた状態において可動板に設けたローラがガイド板の窪みに落下することにより前記引張りばねにより下方に付勢されている可動板が下降し、可動板の下端に支持された気密部材は、扉の上端部近傍における前側もしくは後側と前記開口部の前端部もしくは後端部との間の間隙を塞ぐように構成した
ことを特徴とする防火扉装置。
【発明の詳細な説明】
【０００１】
【発明の属する技術分野】
本発明は、建物の出入口、エレベータの出入口などに設けられて火災時に出入口から煙などが流出するのを防ぐための防火扉装置に関するものである。
【０００２】
【従来の技術】
従来、防火扉装置としては、例えば防火扉の上端に防火扉の横長さ方向と平行な水平軸芯の周りで揺動可能なリンク部材を設け、このリンク部材を介して戸車付きのハンガーを設け、このハンガーに設けた戸車を出入口側のレール上に走行可能に載せて防火扉がレール上でスライドするように構成し、防火扉のスライド時に防火扉を出入口に設けた枠から離すために出入口に設けたガイドレールに当接するガイドローラを設け、前記ガイドレールには防火扉が閉じた状態において前記ガイドローラが嵌入する凹部を設けて出入口に対して防火扉を気密状態に保持するようにしたものが知られている（例えば、特許文献１参照）。
【０００３】
【特許文献１】
実開昭６１−１４８３５２号公報
【０００４】
【発明が解決しようとする課題】
しかし、この防火扉装置では、揺動可能なリンク部材などを用いて防火扉を出入口側に引き寄せて出入口に対して防火扉を気密状態に保持するものであるから、構造が複雑になるという問題があった。
【０００５】
そこで、本発明は前記課題を解決するもので、防火扉を出入口側に引き寄せることなく、簡単な構造で出入口に対して防火扉を気密状態に保持することができる防火扉装置を提供することを目的とするものである。
【０００６】
【課題を解決するための手段】
前記問題点を解決するために本発明の請求項１に記載の防火扉装置は、上端がハンガーによってスライド自在に吊り下げられた扉によって出入口を閉じ、扉が閉じられた状態において扉の４つの周辺部が気密部材によって気密が保持されるように構成した防火扉装置において、前記ハンガーを収納する気密構造のボックスの下端に、長尺状の開口部を設け、扉の上端が前記開口部の近傍に位置するように構成し、前記ハンガーの上部に設けた戸車を走行可能に載せるレールを備えたフレームの下端には、扉が閉じられた状態での前記ハンガーが位置する箇所に支持部材が設けられ、この支持部材はフレームの下端に取り付けられた第１固定板と、この第１固定板に固定された第２固定板と、第１固定板と第２固定板とにより上下動可能に挟持された可動板と、この可動板を上向きに付勢するばね力調整可能な引張りばねとを備えており、扉の上端部近傍を気密にする気密部材は、前記可動板の下端に支持され、前記ハンガーに設けたローラに扉が閉じられた状態において当接するカムが前記可動板に設けられ、扉が閉じられた状態において前記ハンガーに設けられたローラが前記カムに当接することにより可動板が引張りばねのばね力に抗して下降し、可動板の下端に支持された気密部材は、扉の上端部近傍における前側もしくは後側と前記開口部の前端部もしくは後端部との間の間隙を塞ぐように構成したことを特徴とする。また、本発明の請求項２に記載の防火扉装置は、上端がハンガーによってスライド自在に吊り下げられた扉によって出入口を閉じ、各扉が閉じられた状態において扉の４つの周辺部が気密部材によって気密が保持されるように構成した防火扉装置において、前記ハンガーを収納する気密構造のボックスの下端に、長尺状の開口部を設け、扉の上端が前記開口部の近傍に位置するように構成し、前記ハンガーの上部に設けた戸車を走行可能に載せるレールを備えたフレームの下端には、扉が閉じられた状態での前記ハンガーが位置する箇所に支持部材が設けられ、この支持部材はフレームの下端に取り付けられた第１固定板と、この第１固定板に固定された第２固定板と、第１固定板と第２固定板とにより上下動可能に挟持された可動板と、この可動板を下向きに付勢するばね力調整可能な引張りばねとを備えており、扉の上端部近傍を気密にする気密部材は、前記可動板の下端に支持され、前記ハンガーに設けたガイド板に当接するローラが前記可動板に設けられて、ローラの下降がガイド板により規制されるように構成し、扉が閉じられた状態において可動板に設けたローラがガイド板の窪みに落下することにより前記引張りばねにより下方に付勢されている可動板が下降し、可動板の下端に支持された気密部材は、扉の上端部近傍における前側もしくは後側と前記開口部の前端部もしくは後端部との間の間隙を塞ぐように構成したことを特徴とする。
【０００７】
前記構成によれば、上端がハンガーによってスライド自在に吊り下げられた扉によって出入口を閉じるようにした防火扉装置において、扉の上端部近傍を気密する気密部材は、扉が閉じられたときに下降して、扉の上端部近傍における前側もしくは後側と前記開口部の前端部もしくは後端部との間の間隙を塞ぐように構成したので、気密部材を下降させるだけで気密構造のボックスの開口部に対して扉を気密状態に保持することができる。
【００２４】
【発明の実施の形態】
以下、本発明の実施の形態における防火扉装置を図面に基づいて詳細に説明する。
【００２５】
本発明の実施の形態１における防火扉装置を図１〜図１３に基づいて説明する。この防火扉装置は、例えばエレベータの出入口のエレベータホール側に設けられる。
【００２６】
この防火扉装置においては、図１、図２に示すように、防火扉は一方側にスライドする１枚の引戸１から形成されている。
また、エレベータ側の上方には、図３に示すように、ハンガー１４などを収納するボックス２が設けられ、このボックス２の下端部には、引戸１の厚みよりも大きな幅をもつ長尺状の開口部３が形成されている。そして、前記ボックス２の下端部と、戸先側に設けられた戸先側竪枠部４と、戸袋１１に連設された戸尻側竪枠部５と、下枠部６とにより四方が囲まれた出入口Ｅが形成されている。
【００２７】
そして、前記ボックス２の背面板７の下端部には、背面板７からボックス２の前面側すなわち前面板９側に向けて水平に突出した長尺状の第１突片部７ａが形成され、この第１突片部７ａの先端側は上方に折曲されて長尺状の鉛直突片部７ｃが形成されるとともに、さらにその上端部は背面板７側に水平に折曲されて長尺状の第２突片部７ｂが形成されている。また、前面板９の下端部には、前記鉛直突片部７ｃと対向する長尺状の鉛直突片部９ｃが形成されている。つまり、前記開口部３は、鉛直突片部７ｃと、鉛直突片部９ｃとの間に形成されている。なお、図１、図２においては、前面板９を取り外した状態を示している。
【００２８】
前記引戸１は、図３に示すように、その上端が前記背面板７の第２突片部７ｂと略同レベルすなわち略同じ高さ位置となるようにハンガー１４に吊り下げられるとともに、前記開口部３の間を所定間隔を保って左右にスライドするようになっている。この引戸１は平常時には出入口Ｅを開いた状態に保持される。
【００２９】
そして、引戸１が閉じられたときに、引戸１の上端部における後側と背面板７の第２突片部７ｂとの間の間隙、つまり引戸１の上端部における後側と前記開口部３の後端部との間の間隙が、ゴムなどからなる長尺状の気密部材１６により上方から塞がれるように構成されている。
【００３０】
前記ハンガー１４は、引戸１の戸先側と戸尻側とに取り付けられ、このハンガー１４の上部に設けた戸車１５は、フレーム１２に形成されたレール１３上に走行可能に載せられている。
【００３１】
前記気密部材１６は、引戸１が閉じられたときに前記ハンガー１４がそれぞれ位置する箇所において、前記フレーム１２の下端に設けられた支持部材１７により支持されている。
【００３２】
この支持部材１７は、図７に示すように、前記フレーム１２の下端に取り付けられた第１固定板１８と、この第１固定板１８に固定された第２固定板２０と、第１固定板１８と第２固定板２０とにより上下動可能に挟持された可動板１９と、引張りばね２１と、可動板１９の下端に設けられて気密部材１６を直接保持する保持部材１６ａをそれぞれ備えており、２つの可動板１９の下端で保持部材１６ａにより、前記気密部材１６が支持されている。
【００３３】
前記第１固定板１８には、図９に示すように、上下にそれぞれ２つのビス孔１８ａが、前記可動板１９には、図１０に示すように、上下にそれぞれ２つの長孔１９ａが、前記第２固定板２０には、図１１に示すように、上下にそれぞれ２つのビス孔２０ａが、それぞれ穿設されている。
【００３４】
そして、図７、図８に示すように、これらビス孔１８ａ、長孔１９ａ、ビス孔２０ａに、ビス２２を挿通することにより、第１固定板１８に第２固定板２０が固定されるとともに、可動板１９が第１固定板１８と第２固定板２０とにより挟持され、可動板１９の長孔１９ａをビス２２に沿って上下させることにより、可動板１９が上下動するように取り付けられている。
【００３５】
さらに、図７、図８に示すように、前記第１固定板１８には、可動板１９に臨む面と反対側の面にばね取付け板２３がねじ２４により取り付けられ、また、可動板１９には、前記取付け板２３の下方に位置するようにばね取付け部１９ｂが形成されており、前記ばね取付け２３には、ねじ２５を介して引張りばね２１の上端側が取り付けられ、前記可動板１９のばね取付け部１９ｂには、ねじ２６を介して引張りばね２１の下端側が取り付けられている。これにより、可動板１９は、引張りばね２１のばね力によって上向きに付勢されている。
【００３６】
前記引張りばね２１のばね力の調整は、前記ばね取付け板２３を、このばね取付け板２３に形成された長孔２３ａに挿通された前記ねじ２４に沿って上下に移動させることにより行われる。
【００３７】
さらに、前記各ハンガー１４には、図３に示すように、それぞれ水平軸２７の軸芯回りで回転するローラ２８が設けられており、戸尻側のハンガー１４のローラ２８は高い位置に、戸先側のハンガー１４のローラ２８は低い位置に設けられている。
【００３８】
さらに、前記各支持部材１７の可動板１９には、引戸１が閉じられたときに前記各ローラ２８が当接するカム２９が、ハンガー１４側に位置するようにブラケット２９ｂを介してねじ３０にて固定されており、戸尻側竪枠部５寄りの可動板１９のカム２９は、前記戸尻側のハンガー１４のローラ２８に対応して高い位置に、戸先側竪枠部４寄りの可動板１９のカム２９は、戸先側のハンガー１４のローラ２８は低い位置に、それぞれ設けられている。各カム２９の上端部には、戸袋１１側に向けて下り傾斜した傾斜部２９ａが形成され、引戸１が閉じられたときに、この傾斜部２９ａに前記各ローラ２８が当接するようになっている。
【００３９】
これにより、図４に示すように、引戸１が閉じられるときに、前記各ハンガー１４に設けられたローラ２８が可動板１９に固定された各カム２９の傾斜部２９ａに当接することにより、引張りばね２１のばね力によって上向きに付勢されている可動板１９がカム２９と連動して下降し、可動板１９の下端に保持部材１６ａを介して支持した気密部材１６が、前記背面板７の第２突片部７ｂと引戸１の上端部における後側との間の間隙に押しつけられ、これらの間の間隙が上方から塞がれる。
【００４０】
なお、図３、図４及び図７においては、便宜上、２つのハンガー１４又は２つの支持部材１７にそれぞれ設けられる部材は、１つのハンガー１４又は１つの支持部材１７上で示してある。
【００４１】
そして、図５に示すように、引戸１が閉じられたときに、引戸１の戸先の表面側に形成した段部３１に沿って上下方向に設けた気密部材３２が、戸先側竪枠部４に形成した凹部３３に当接し、引戸１の戸先側と戸先側竪枠部４との間の間隙が塞がれる。また、引戸１の戸尻の裏面側に形成した段部３４に沿って上下方向に設けた気密部材３５が、戸尻側竪枠部５の戸袋１１寄りに形成した側面部３６に当接することにより、引戸１の戸尻側と戸尻側竪枠部５との間の間隙が塞がれる。
【００４２】
さらに、図６に示すように、引戸１が閉じられたときに、出入口Ｅにおいて、引戸１の下端に沿って設けた気密部材３７が、下枠部６に接触することにより、引戸１の下端と下枠部５との間の間隙が塞がれる。
【００４３】
これによって、出入口Ｅ側に対して引戸１の気密状態が保持される。
なお、前記下枠部６には、戸尻側竪枠部５近傍において鉛直軸の軸芯周りで水平に回転する支持ローラ３８が設けられ、引戸１の下端に沿って形成されたガイド溝３９にこの支持ローラ３８が嵌入して引戸１を下方から支持して引戸１がスライドするようになっている。
【００４４】
前記戸先側のハンガー１４には、図１、図１２に示すように、一定の制動力をもつ制動装置４０の本体部４１が設けられている。
図１３に示すように、この本体部４１内に水平軸４２に取り付けられて回転する回転体４３が収納されるとともに、本体部４１内に回転体４３の周りを取り囲むように粘性流体（図示せず）が充填されている。前記水平軸４２は本体部４１の内部で軸受４４により支持されているとともに、水平軸４２の一端は本体部４１から外方に突出し、この本体部４１から外方に突出する水平軸４２の一端に一方クラッチ４５を介して歯車４６が取り付けられている。
【００４５】
そして、この歯車４６は引戸１が閉じられるときに、前記レール１３と平行にフレーム１２に取り付けられた歯面が下向きであって水平な長尺状のラック４７に噛み合って回転し、その回転を前記回転体４３に伝えるように構成されている。これにより、制動装置４０の歯車４６が引戸１の閉動途中から前記ラック４７に噛み合うことになり、引戸１の閉塞方向への動きに制動力がかかり、引戸１が急激に閉じるのが防止される。
【００４６】
また、前記フレーム１２の戸先側竪枠部４側にはぜんまいばねを駆動源とする自動閉塞装置５０が設けられ、自動閉塞装置５０から引き出されたワイヤ（図示せず）が引戸１の戸先側に設けたハンガー１４に連結されていて、自動閉塞装置５０により引戸１が自動的に閉じるようになっている。
【００４７】
また、引戸１の戸先側に設けたハンガー１４の上方には開放保持装置５１がフレーム１２に支持され、この開放保持装置５１の下部には、引戸１の戸先側に設けたハンガー１４に取り付けられた上端が凹状の係合金具５２と係合するストップレバー（図示せず）が設けられ、引戸１が開かれた状態においてストップレバーが係合金具５２に係合するようにストップレバーを内部の駆動装置により作動させている。また、火災発生時に図外の煙感知器、熱感知器等が働くことによって前記開放保持装置５１の駆動装置が働いて前記ストップレバーが係合金具５２から外れるようになっている。
【００４８】
前記構成によれば、各ハンガー１４にローラ２８を設けるとともに、引張りばね２１により上向きに付勢されている可動板１９にカム２９を設け、引戸１が閉じられるときに、ローラ２８をカム２９に当接させて可動板１９を下降させるようにしたので、可動板１９にて支持した気密部材１６が、引戸１の上端部における後側と背面板７の第２突片部７ｂとの間の間隙に押し付けられ、この間隙、すなわち引戸１の上端部における後側と開口部３の後端部との間の間隙を確実に塞ぐことができる。
【００４９】
また、引戸１の戸先側と戸先側竪枠部４との間の間隙は気密部材３２により、引戸１の戸尻側と戸尻側竪枠部５の間の間隙は気密部材３５より、引戸１の下端と下枠部６との間の間隙は気密部材３７により、それぞれ塞ぐことができる。
【００５０】
次に、本発明の実施の形態２における防火扉装置を図１４〜図２５に基づいて説明する。この防火扉装置は、前記実施の形態１と同様に例えばエレベータの昇降口のエレベータホール側に設けられる。なお、前記実施の形態１と同一機能を有するものについては、同一符号を付して説明を省略する。
【００５１】
この防火扉装置においては、図１４〜図１５に示すように、防火扉が２枚の引戸１Ａ、引戸１Ｂとからなり、左右両側にスライドする両引戸に形成されている。そして、出入口Ｅは、前記ボックス２の下端部、両竪枠部８、８、及び下枠部６により囲まれている。
【００５２】
この防火扉装置では、引戸１Ａ、引戸１Ｂの上端には、戸先側と戸尻側とにそれぞれハンガー１４が設けられ、このハンガー１４には戸車１５が取り付けられ、戸車１５はレール１３上に走行可能に載せられ、それによって引戸１Ａ、引戸１Ｂが左右にスライドするようになっている。
【００５３】
そして、出入口Ｅの中央部の両側において、フレーム１２の下端には、引戸１Ａ、１Ｂの閉塞時における各ハンガー１４が位置する箇所に、前記背面板７の第２突片部７ｂと引戸１Ａ、１Ｂの上端における後側との間の間隙を塞ぐための長尺状の気密部材１６を支持するための２つの支持部材１７が設けられている。
【００５４】
この支持部材１７は、図１６に示すように、前記フレーム１２の下端に取り付けられた第１固定板６１と、この第１固定板６１に固定された第２固定板６３と、第１固定板６１と第２固定板６３とにより上下動可能に挟持された可動板６２と、引張りばね２１と、可動板６２の下端に設けられて気密部材１６を直接保持する保持部材１６ａを備えており、２つの可動板６２の下端で保持部材１６ａにより、前記気密部材１６が支持されている。
【００５５】
前記第１固定板６１には、図２２に示すように、上下にそれぞれ２つのビス孔６１ａが、前記可動板６２には、図２３に示すように、上下にそれぞれ２つの長孔６２ａが、前記第２固定板６３には、図２４に示すように、上下にそれぞれ２つのビス孔６３ａが、それぞれ穿設されている。
【００５６】
そして、図２０、２１に示すように、これらビス孔６１ａ、長孔６２ａ、ビス孔６３ａに、ビス２２を挿通することにより、第１固定板６１に第２固定板６３が固定されるとともに、可動板６２が、第１固定板６１と第２固定板６３とにより挟持され、可動板６２の長孔６２ａをビス２２に沿って上下させることにより、可動板６２が上下動するように取り付けられている。
【００５７】
さらに、前記可動板６２には、図２１、図２３に示すように、その長さ方向中央部にばね取付け部６２ｂが形成され、また、第２固定板６３の下部には、図２１に示すように、ばね取付け部材６４が固定されており、図２０、２１に示すように、上方に位置する可動板６２のばね取付け部６２ｂには、ねじ２５を介して引張りばね２１の上端側が取り付けられ、下方に位置する第２固定板６３のばね取付け部材６４には、ねじ２６により引張りばね２１の下端側が取り付けられている。これにより、可動板６２は、引張りばね２１のばね力によって下向きに付勢されている。
【００５８】
前記第２固定板６３の下端に形成した水平突出片６３ｂに設けた切欠き部６３ｃには、下方からボルト６５が挿入され、ばね取付け部材６４に螺合するとともに、その上端部が第２固定板６３に取り付けたボルト受け部６６に螺合されており、前記ボルト６５を所定方向に回転することにより、ばね取付け部材６４を上下させて前記引張りばね２１のばね力が調整される。
【００５９】
また、前記各可動板６２には、それぞれ第２固定板６３に形成された長孔６３ｄを介して、前記可動板６２の孔６２ｃに水平軸２７を取り付けられ、この水平軸２７の軸芯回りで回転するローラ２８が設けられている。これによって、ローラ２８は、可動板６２と連動して上下動するようになっている。引戸１Ａ側の可動板６２のローラ２８は高い位置に、引戸１Ｂ側の可動板６２のローラ２８は低い位置に、それぞれ設けられている。
【００６０】
そして、引戸１Ａの戸先側と戸尻側のハンガー１４には、図２５に示す制動装置４０の歯車４６と噛み合うラック４７を介して、前記ローラ２８を下方から支持する長尺状のガイド板６７が取り付けられ、また、引戸１Ｂの戸先側と戸尻側にも同様にガイド板６７が取り付けられている。引戸１Ａの戸先側のハンガー１４に取り付けたガイド板６７は、引戸１Ａ側の可動板６２のローラ２８に対応して高い位置に、引戸１Ｂの戸先側に取り付けたガイド板６７は、引戸１Ｂ側の可動板６２のローラ２８に対応して低い位置に、それぞれ設けられている。
【００６１】
これにより、引戸１Ａ、１Ｂのスライド時においては、ローラ２８の下降が、ガイド板６７により規制されている。さらに、前記各ガイド板６７には、引戸１Ａ、引戸１Ｂの閉動方向側の後端部に段状の窪み６７ａが形成され、引戸１Ａ、引戸１Ｂが閉じられたときに、前記各ローラ２８がそれぞれこの窪み６７ａに落下するようになっている。
【００６２】
したがって、引戸１Ａ、引戸１Ｂが閉じられたときに、引張りばね２１により下方に付勢されている可動板６２に設けたローラ２８が、ガイド板６７の窪み６７ａに落下することにより、図１７に示すように、前記引張りばね２１により下方に付勢されている可動板６２が下降し、気密部材１６が、引戸１Ａ、引戸１Ｂの上端部における後側と背面板７の第２突片部７ｂとの間の間隙に押し付けられ、これらの間の間隙が気密部材１６により塞がれる。
【００６３】
さらに、図１８に示すように、引戸１Ａ、引戸１Ｂの戸先側側面にはそれに沿って引戸１Ａと引戸１Ｂとが突き合わされる段部７０がそれぞれ形成され、各段部７０にはそれに沿って気密部材７１が設けられており、引戸１Ａ、引戸１Ｂが閉じられたときには、引戸１Ａ、引戸１Ｂの間の間隙が気密部材７１により塞がれる。また、引戸１Ａ、引戸１Ｂの戸尻の裏面側にそれぞれ形成した段部３４に沿って上下方向に設けた気密部材３５を、竪枠部８の戸袋１１寄りに形成した側面部３６に当接させることにより、引戸１Ａ、引戸１Ｂの戸尻側と竪枠部８との間の間隙が塞がれる。
【００６４】
さらに、図１９に示すように、引戸１Ａ、引戸１Ｂの閉じられたときは、出入口Ｅにおいて、引戸１Ａ、引戸１Ｂの下端部に沿って設けた気密部材３７が、下枠部６に接触することにより、戸１Ａ、引戸１Ｂの下端部と下枠部６との間の間隙が塞がれる。
【００６５】
これによって、出入口Ｅ側に対して引戸１Ａ、引戸１Ｂの気密状態が保持される。
なお、図１６、図１７及び図２０においては、便宜上、２つのハンガー１４又は２つの支持部材１７にそれぞれ設けられる部材は、１つのハンガー１４又は１つの支持部材１７上で示してある。
【００６６】
制動装置４０は、図２５に示すように、ボックス２内において、ブラケット７２を介してフレーム１２に取り付けられている。
また、前記制動装置４０の歯車４６と噛み合うラック４７は、前記のように、引戸１Ａ、引戸１Ｂの戸先側のハンガー１４に取り付けられている。そして、引戸１Ａの戸先側と戸尻側のハンガー１４には、前記歯車４６の上側で噛み合うように、ラック４７の歯面が下向きに取り付けられ、一方、引戸１Ｂの戸先側と戸尻側のハンガー１４には、前記歯車４６の下側で噛み合うように、ラック４７の歯面が上向きに取り付けられている。これにより、引戸１Ａ、引戸１Ｂの閉動時又は閉鎖状態において、両ラックの干渉が防止される。
【００６７】
さらに、自動閉塞装置５０のワイヤーは、一方の引戸例えば引戸１Ａの戸先側のハンガー１４にのみ連結され、この自動閉塞装置５０の駆動力は、引戸１Ａ側に設けたラック４７、制動装置４０の歯車４６及び引戸１Ｂのラック４７を介して引戸１Ｂ側に伝達される。これにより、引戸１Ａ、引戸１Ｂが連動して開閉動作をするようになっている。
【００６８】
前記構成によれば、引張りばね２１により下方に付勢されている可動板６２に設けたローラ２８が、ガイド板６７の窪み６７ａに落下することにより、前記引張りばね２１により下方に付勢されている可動板６２が下降し、気密部材１６が引戸１Ａ、引戸１Ｂの上端部における後側と背面板７の第２突片部７ｂとの間の間隙に押し付けられ、この間隙、すなわち引戸１の上端部における後側と開口部３の後端部との間の間隙を確実に塞ぐことができる。
【００６９】
また、可動板６２が引張りばね２１により下方に付勢されているので、可動板６２に付勢するばね力を調整し易いものである。
さらに、可動板６２が引張りばね２１により下方に付勢され、ガイド板６７により可動板６２の下降が規制されているので、この規制が解除されると、可動板６２が自然落下することになり、比較的小さな力で気密部材１６を前記間隙に押し付けることができる。また、比較的小さな力で気密部材１６を押し付けることができることから、気密部材１６が過度に変形することがない。
【００７０】
さらに、引戸１Ａ、引戸１Ｂの戸先側側面との間の間隙は、気密部材７１、７１により、引戸１Ａ、引戸１Ｂの戸尻の裏面側と竪枠部８、８と間の間隙は気密部材３５により、引戸１Ａ、引戸１Ｂの下端と下枠部６との間の間隙は、気密部材３７によりそれぞれ塞ぐことができる。
【００７１】
前記各実施の形態では、引戸１、１Ａ又は１Ｂの上端部と背面板７の第２突片部７ｂとの間の間隙を気密部材１６にて塞ぐようにしたが、背面板７の第２突片部７ｂおよび鉛直突片部７ｃを形成することなく、引戸１と第１突片部７ａとを気密部材１６にて塞ぐようにしてもよい。さらに、引戸１、１Ａ又は１Ｂの上端部における前側と開口部３の前端部との間の間隙を気密部材１６により塞ぐようにしてもよい。
【００７２】
次に、本発明の実施の形態３における防火扉装置を図２６〜図２９に基づいて説明する。なお、前記実施の形態１と同一機能を有するものについては、同一符号を付して説明を省略する。また、実施の形態１と共通の部品などは、図示を省略する。
【００７３】
この防火扉装置は、図１〜図１３に示した実施の形態１において、気密部材１６は、２つの可動板１９の下端で回転自在に支持されているものである。また、ボックス２の下端部には、実施の形態１における第２突片部７ｂは形成されていない。さらに、引戸１は、その上端の高さ位置が、鉛直突片部７ｃの上端よりも、低い位置になるように、ハンガー１４に吊り下げたものである。これ以外の構成は、実施の形態１と同様に構成されている。
【００７４】
前記各可動板１９の下端には、それぞれ取付け片７３が設けられ、第１突片部７ａの上面には、各可動板１９と対応する位置において、それぞれブラケット７４が立設されており、ブラケット７４の基端部７５は背面板７側に折曲されて背面板７にねじ止めにより固定されている。
【００７５】
各取付け片７３には、断面略Ｌ字型のアーム７６の一端側が、長孔７６ａに第１連結ピン７７を挿通することにより枢支され、各ブラケット７４には、アーム７６の他端側が、第２連結ピン７８により枢支されている。そして、各アーム７６の一端側に形成された取付け部７９を、長尺状の気密部材１６に形成されたスリット部（図示せず）に圧入することにより、気密部材１６がアーム７６に取り付けられている。なお、この気密部材１６は、断面が方形に形成されている。
【００７６】
これにより、各可動板１９の下降に伴なって、アーム７６が第２連結ピン７８を中心として所定方向（Ｐ方向）に回転し、気密部材１６が回転しながら下降するように構成されている。
【００７７】
前記構成において、引戸１が開かれている状態では、図２７に示すように、気密部材１６は、前面板９側に下り傾斜した姿勢に保たれ、鉛直突片部７ｃの前面板９側の側面の上端に接触している。そして、引戸１が閉じられるときには、可動板１９が下降するのに伴なって、アーム７６がＰ方向に回転し、それに伴って、気密部材１６は、Ｐ方向に回転しながら下降する。そして、引戸１が閉じられた状態では、図２９に示すように、気密部材１６は、鉛直突片部７ｃの前面板９側の側面に押し付けられるとともに、引戸１の上端部における後側に押し付けられ、これにより、鉛直突片部７ｃと引戸１の上端部における後側との間の間隙が塞がれる。
【００７８】
前記構成によれば、１枚の引戸１からなる防火扉において、可動板１９の下端に、アーム７６を回転自在に設けたので、アーム７６に支持した気密部材１６が回転しながら下降し、鉛直突片部７ｃの前面板９側の側面に押し付けられるとともに、引戸１の上端部における後側に押し付けられ、引戸１の上端部における後側と鉛直突片部７ｃとの間の間隙、すなわち引戸１の上端部における後側と開口部３の後端部との間の間隙を確実に塞ぐことができる。
【００７９】
次に、本発明の実施の形態４における防火扉装置を図３０〜図３３に基づいて説明する。なお、前記実施の形態２と同一機能を有するものについては、同一符号を付して説明を省略する。また、実施の形態２と共通の部品などは、図示を省略する。
【００８０】
この防火扉装置は、図１４〜図２５に示した実施の形態２において、前記実施の形態３と同様に、気密部材１６は、２つの可動板６２の下端で回転自在に支持されているものである。また、引戸１Ａ、引戸１Ｂは、それぞれその上端の高さ位置が、鉛直突片部７ｃの上端よりも、低い位置になるように、ハンガー１４に吊り下げたものである。これ以外の構成は、実施の形態２と同様に構成されている。
【００８１】
前記各可動板６２の下端には、それぞれ取付け片７３が設けられ、第１突片部７ａの上面には、各可動板６２と対応する位置において、それぞれブラケット７４が立設されており、ブラケット７４の基端部７５は背面板７側に折曲されて背面板７にねじ止めにより固定されている。
【００８２】
各取付け片７３には、断面略Ｌ字型のアーム７６の一端側が、長孔７６ａに第１連結ピン７７を挿通することにより枢支され、各ブラケット７４には、アーム７６の他端側が、第２連結ピン７８により枢支されている。そして、各アーム７６の一端側に形成された取付け部７９を、長尺状の気密部材１６に形成されたスリット部（図示せず）に圧入することにより、気密部材１６がアーム７６に取り付けられている。
【００８３】
これにより、各可動板６２の下降に伴なって、アーム７６が第２連結ピン７８を中心として所定方向（Ｐ方向）に回転し、気密部材１６が回転しながら下降するように構成されている。
【００８４】
前記構成において、引戸１Ａ、１Ｂが開かれている状態では、図３１に示すように、気密部材１６は、前面板９側に下り傾斜した姿勢に保たれ、鉛直突片部７ｃの前面板９側の側面の上端に接触している。そして、引戸１Ａ、１Ｂが閉じられるときには、可動板６２が下降するのに伴なって、アーム７６がＰ方向に回転し、それに伴って、気密部材１６は、Ｐ方向に回転しながら下降する。そして、引戸１Ａ、１Ｂが閉じられた状態では、図３３に示すように、気密部材１６は、鉛直突片部７ｃの前面板９側の側面に押し付けられるとともに、引戸１Ａ、１Ｂの上端部における後側に押し付けられ、これにより、鉛直突片部７ｃと引戸１Ａ、１Ｂの上端部における後側との間の間隙が塞がれる。
【００８５】
前記構成によれば、２枚の引戸１Ａ、１Ｂからなる防火扉において、可動板６２の下端に、アーム７６を回転自在に設けたので、アーム７６に支持した気密部材１６が回転しながら下降し、鉛直突片部７ｃの前面板９側の側面に押し付けられるとともに、引戸１Ａ、１Ｂの上端部における後側に押し付けられ、引戸１Ａ、１Ｂの上端部における後側と鉛直突片部７ｃとの間の間隙、すなわち引戸１Ａ、１Ｂの上端部における後側と開口部３の後端部との間の間隙を確実に塞ぐことができる。
【００８６】
前記実施の形態３、４では、引戸１、１Ａ又は１Ｂの上端部における後側と開口部３の後端部との間の間隙を気密部材１６にて塞ぐようにしたが、引戸１、１Ａ又は１Ｂの上端部における前側と開口部３の前端部との間の間隙を気密部材１６により塞ぐようにしてもよい。
【００８７】
次に、本発明の実施の形態５における防火扉装置を図３４〜図４１に基づいて説明する。なお、前記実施の形態２と同一機能を有するものについては、同一符号を付して説明を省略する。また、実施の形態２と共通の部品などは、図示を省略する。
【００８８】
この防火扉装置は、ボックス２の下端部の形状や引戸１Ａ、１Ｂの上端の高さ位置が実施の形態２とは異なるように構成するとともに、引戸１Ａ、１Ｂの上端部と開口部３との間の間隙を塞ぐ機構を実施の形態２とは異なる機構としたものである。つまり、引戸１Ａ、１Ｂは、その上端の高さ位置が、背面板７の鉛直突片部７ｃの上端よりも、低い位置になるように、ハンガー１４に吊り下げられ、背面板７の第１突片部７ａの下方には、回転体８２に支持された気密部材１６を配設し、気密部材１６を回転させて、鉛直突片部７ｃと引戸１Ａ、１Ｂの上端部との間の間隙を、下方から塞ぐように構成したものである。これ以外の構成、例えば２枚の引戸１Ａ、１Ｂを自閉させるための自動閉塞装置５０、制動装置４０などは、実施の形態２と同様に構成されているものである。
【００８９】
前記第１突片部７ａの下方には、水平軸８１により回転自在に支持された回転体８２が第１突片部７ａの横長さ方向に沿って配設され、水平軸８１の両端部は、戸袋１１側でそれぞれ第１突片部７ａの下面にねじにより固定された軸支持部材８３により支持されている。この回転体８２には、その外周方向に沿って所定の角度間隔、例えば略９０度の角度間隔で回転体８２から突出した２つの長尺状の気密部材１６が設けられている。この気密部材１６は、それぞれ断面くの字型に形成されていて、先端部が尖った形状になっている。
【００９０】
さらに、回転体８２は、水平軸８１の両端部にそれぞれ装着された巻きばね８４により、所定方向（Ｒ方向）に付勢され、回転体８２の両端部にそれぞれ設けた規制用突起８５が、各軸支持部材８３に設けた規制ピン８６に当接することにより、Ｒ方向への回転が規制されるようになっており、引戸１Ａ、１Ｂが開かれた状態では、規制用突起８５が規制ピン８６に当接することにより、一方の気密部材１６の先端部は、第１突片部７ａの下面側に僅かな隙間をもって突出し、また、他方の気密部材１６の先端部は、引戸１Ａ、１Ｂの上端部における後面側に僅かな隙間をもって突出している。
【００９１】
そして、回転体８２の両端部近傍には、鉛直軸８７に回転自在に支持されたローラ８８がそれぞれ下向きに設けられ、引戸１Ａ、１Ｂの後面の戸尻側上部には、それぞれ引戸１Ａ、１Ｂの閉動方向側に下り傾斜した傾斜面８９ａを有するガイド部材８９が設けられている。
【００９２】
これにより、引戸１Ａ、１Ｂが閉じられたときに、ローラ８８が傾斜面８９ａに当接して、回転体８２が回転し、それに伴って各気密部材１６が回転して、鉛直突片部７ｃの下面と引戸１Ａ、１Ｂの上端部における後面とに押し付けられるように構成されている。
【００９３】
また、実施の形態２と同様に、引戸１Ａ、１Ｂの戸先側側面には気密部材７１が、引戸１Ａ、１Ｂの戸尻に裏面側には気密部材３５が、引戸１Ａ、１Ｂの下端部には気密部材３５がそれぞれ設けられている。
【００９４】
前記構成において、自動閉塞装置５０などが作動して、引戸１Ａ、１Ｂが閉じられるときには、各ローラ８８が、各ガイド部材８９の傾斜面８９ａに当接することにより、回転体８２が、巻きばね８４のばね力に抗して所定方向（Ｓ方向）に回転し、それに伴なって各気密部材１６がＳ方向に回転する。そして、引戸１Ａ、１Ｂが閉じられた状態では、一方の気密部材１６の先端部が第１突片部７ａの下面に押し付けられるとともに、他方の気密部材１６の先端部が引戸１Ａ、１Ｂの上端部における後面に押し付けられる。
【００９５】
前記構成によれば、２枚の引戸１Ａ、１Ｂからなる防火扉において、第１突片部７ａの下方に配設された回転体８２に、２つの気密部材１６を設けるとともに、ローラ８８を設け、引戸１Ａ、１Ｂには、傾斜面８９ａを有するガイド部材８９を設けたので、ローラ８８が傾斜面８９ａに当接することにより、２つの気密部材１６が回転体８２とともに所定方向に回転して、それぞれ第１突片部７ａの下面、引戸１Ａ、１Ｂの上端部における後面に押し付けられ、引戸１Ａ、１Ｂの上端部における後面と第１突片部７ａの下面との間の間隙、すなわち引戸１Ａ、１Ｂの上端部における後面と開口部３に後端部下面との間の間隙を確実に塞ぐことができる。
【００９６】
実施の形態５では、気密部材１６により、引戸１Ａ、１Ｂの上端部における後面と第１突片部７ａの下面との間の間隙、すなわち引戸１Ａ、１Ｂの上端部における後面と開口部３の後端部下面との間の間隙を塞ぐようにしたが、引戸１Ａ、１Ｂの上端部における前面と開口部３の前端部下面の間の間隙を塞ぐようにすることもできる。
【００９７】
前記実施の形態５では、防火扉が２枚の引戸１Ａ、１Ｂから構成されている場合について説明したが、実施の形態５における回転体８２に支持された気密部材１６などから構成される引戸の上端部における後面と第１突片部７ａの下面との間の間隙を塞ぐための構成は、防火扉が１枚の引戸から構成されている場合についても、適用することができ、実施の形態５と同様の効果を奏する。
【００９８】
前記各実施の形態では、ハンガー１４などを収納する気密構造のボックス２の下端に、引戸の厚みよりも大きな幅をもつ開口部３を形成した例を示したが、ボックス２の下端に、ハンガー１４のみがスライド可能となるような狭い幅をもつ長尺状の開口部を形成するとともに、この開口部からハンガー１４の下端を下方に突出させて引戸の上端を吊り下げ、ボックス２の下方には、実施の形態５と同様の回転体８２に支持された気密部材１６などを設け、この気密部材１６により引戸の上端部近傍における前面もしくは後面と開口部の前端部下面もしくは後端部下面との間の間隙を塞ぐようにすることもできる。
【００９９】
なお、本発明の防火扉装置は、エレベータの出入口の他、通常の通路などに設けることができる。
【０１００】
【発明の効果】
以上述べたように、本発明によれば、出入口を閉じるようにした防火扉装置において、気密部材を下降させるだけで気密構造のボックスの開口部に対して扉を気密状態に保持することができる。また簡単な構造であるため、安価なコストで提供できる。
【図面の簡単な説明】
【図１】  本発明の実施の形態１における防火扉装置の開放状態を示す正面図である。
【図２】  同防火扉装置の閉塞状態を示す正面図である。
【図３】  同防火扉装置の開放状態を示す側面断面図である。
【図４】  同防火扉装置の閉塞状態を示す側面断面図である。
【図５】  同防火扉装置の閉塞状態を示す上面断面図である。
【図６】  同防火扉装置の閉塞状態を示す側面断面図である。
【図７】  同防火扉装置の支持部材を示す側面図である。
【図８】  同防火扉装置の支持部材を示す正面図である。
【図９】  同防火扉装置の第１固定板を示し、（ａ）は側面図、（ｂ）は正面図、（ｃ）は上面図である。
【図１０】  同防火扉装置の可動板を示し、（ａ）は側面図、（ｂ）は上面図、（ｃ）は正面図である。
【図１１】  同防火扉装置の第２固定板を示し、（ａ）は側面図、（ｂ）は上面図、（ｃ）は正面図である。
【図１２】  同防火扉装置の制動装置の取付け状態を示す側面断面図である。
【図１３】  同防火扉装置の制動装置を示す断面図である。
【図１４】  本発明の実施の形態２における防火扉装置の開放状態を示す正面図である。
【図１５】  同防火扉装置の閉塞状態を示す正面図である。
【図１６】  同防火扉装置の開放状態を示す側面断面図である。
【図１７】  同防火扉装置の閉塞状態を示す側面断面図である。
【図１８】  同防火扉装置の閉塞状態を示す上面断面図である。
【図１９】  同防火扉装置の閉塞状態を示す側面断面図である。
【図２０】  同防火扉装置の支持部材を示す側面図である。
【図２１】  同防火扉装置の支持部材を示す正面図である。
【図２２】  同防火扉装置の第１固定板を示し、（ａ）は側面図、（ｂ）は正面図、（ｃ）は上面図である。
【図２３】  同防火扉装置の可動板を示し、（ａ）は側面図、（ｂ）は上面図、（ｃ）は正面図である。
【図２４】  同防火扉装置の第２固定板を示し、（ａ）は側面図、（ｂ）は上面図、（ｃ）は正面図である。
【図２５】  同防火扉装置の制動装置の取付け状態を示す側面断面図である。
【図２６】  本発明の実施の形態３における防火扉装置の開放状態を示す概略正面図である。
【図２７】  同防火扉装置の開放状態を示す概略側面断面図である。
【図２８】  同防火扉装置の閉塞状態を示す概略正面図である。
【図２９】  同防火扉装置の閉塞状態を示す概略側面断面図である。
【図３０】  本発明の実施の形態４における防火扉装置の開放状態を示す概略正面図である。
【図３１】  同防火扉装置の開放状態を示す概略側面断面図である。
【図３２】  同防火扉装置の閉塞状態を示す概略正面図である。
【図３３】  同防火扉装置の閉塞状態を示す概略側面断面図である。
【図３４】  本発明の実施の形態５における防火扉装置の開放状態を示す概略正面図である。
【図３５】  同防火扉装置の開放状態を示す下から見た概略平面図である。
【図３６】  図３４のＸ−Ｘ線側面断面図である。
【図３７】  図３４のＹ−Ｙ線側面断面図である。
【図３８】  同防火扉装置の閉塞状態を示す概略正面図である。
【図３９】  同防火扉装置の閉塞状態を示す下から見た概略平面図である。
【図４０】  図３８の側面断面図である。
【図４１】  図３８の側面断面図である。
【符号の説明】
１、１Ａ、１Ｂ  引戸
２  ボックス
３  開口部
４  戸先側竪枠部
５  戸尻側竪枠部
６  下枠部
７  背面板
７ａ  第１突片部
７ｂ  第２突片部
７ｃ  鉛直突片部
８  竪枠部
１１  戸袋
１２  フレーム
１３  レール
１４  ハンガー
１５  戸車
１６  気密部材
１６ａ  保持部材
１７  支持部材
１８  第１固定板
１９  可動板
２０  第２固定板
２１  引張りばね
２５、２６  ねじ
２８  ローラ
２９  カム
３２、３５、３７  気密部材
４０  制動装置
４１  本体部
４６  歯車
４７  ラック
６１  第１固定板
６２  可動板
６３  第２固定板
６７  ガイド板
６７ａ  窪み
７１  気密部材
７３  取付け板
７４  ブラケット
７６  アーム
８１  水平軸
８２  回転体
８３  軸支持部材
８８  ローラ
８９  ガイド部材
Ｅ  出入口
【図１】
0003675790.tif 000002
【図２】
0003675790.tif 000003
【図３】
0003675790.tif 000004
【図４】
0003675790.tif 000005
【図５】
0003675790.tif 000006
【図６】
0003675790.tif 000007
【図７】
0003675790.tif 000008
【図８】
0003675790.tif 000009
【図９】
0003675790.tif 000010
【図１０】
0003675790.tif 000011
【図１１】
0003675790.tif 000012
【図１２】
0003675790.tif 000013
【図１３】
0003675790.tif 000014
【図１４】
0003675790.tif 000015
【図１５】
0003675790.tif 000016
【図１６】
0003675790.tif 000017
【図１７】
0003675790.tif 000018
【図１８】
0003675790.tif 000019
【図１９】
0003675790.tif 000020
【図２０】
0003675790.tif 000021
【図２１】
0003675790.tif 000022
【図２２】
0003675790.tif 000023
【図２３】
0003675790.tif 000024
【図２４】
0003675790.tif 000025
【図２５】
0003675790.tif 000026
【図２６】
0003675790.tif 000027
【図２７】
0003675790.tif 000028
【図２８】
0003675790.tif 000029
【図２９】
0003675790.tif 000030
【図３０】
0003675790.tif 000031
【図３１】
0003675790.tif 000032
【図３２】
0003675790.tif 000033
【図３３】
0003675790.tif 000034
【図３４】
0003675790.tif 000035
【図３５】
0003675790.tif 000036
【図３６】
0003675790.tif 000037
【図３７】
0003675790.tif 000038
【図３８】
0003675790.tif 000039
【図３９】
0003675790.tif 000040
【図４０】
0003675790.tif 000041
【図４１】
0003675790.tif 000042